(57)【要約】【課題】  本発明は、貯湯タンク内における高温の湯を貯湯タンク外に循環させ、暖房装置の熱源として使用すると同時に、出湯口からも湯が使用できる貯湯式給湯装置に関するものである。【解決手段】  給水加熱装置は、給水を所定の温度に加熱して、貯湯タンクに供給する。前記貯湯タンクは、前記給水加熱装置により加熱された湯が蓄えられるとともに、使用された湯の分量だけ、下部から冷水が供給される。前記貯湯タンクに蓄えられた熱源は、暖房装置のユニットを循環させることにより利用される。制御装置は、前記貯湯タンク内等のセンサの情報を基にして、前記給水加熱装置における給水の加熱を制御するとともに、前記貯湯タンク内の温度が設定温度以下の場合、前記三方弁を制御して、前記給水加熱装置において加熱された湯を前記暖房装置に供給するように制御する。【選択図】    図１
2006071207.tif 000002
【特許請求の範囲】
【請求項１】
給水加熱装置により給水を沸かして蓄えられている貯湯タンクの熱源を暖房および給湯に使用できる貯湯式給湯装置において、
供給された給水を加熱する給水加熱装置と、
前記給水加熱装置により加熱された湯が蓄えられている貯湯タンクと、
前記貯湯タンクの湯を利用する出湯口と、
前記貯湯タンクに蓄えられた熱源を循環させる暖房装置と、
前記給水加熱装置により加熱された湯を前記貯湯タンクおよび前記暖房装置に供給できる三方弁と、
前記給水加熱装置における給水の加熱を制御するとともに、前記貯湯タンク内の温度が設定温度以下の場合、前記給水加熱装置において加熱された湯を前記暖房装置に供給するように前記三方弁を制御する制御装置と、
を少なくとも備えていることを特徴とする貯湯式給湯装置。
【請求項２】
前記三方弁は、前記出湯口から湯を出すことにより、暖房装置への湯の供給を閉じるように制御されていることを特徴とする請求項１に記載された貯湯式給湯装置。
【請求項３】
前記三方弁は、貯湯タンクの設定温度によって制御されることを特徴とする請求項１または請求項２に記載された貯湯式給湯装置。
【請求項４】
前記三方弁は、貯湯タンク内の蓄熱量と、出湯口から使用される湯の熱量との差によって制御されることを特徴とする請求項１から請求項３のいずれか１項に記載された貯湯式給湯装置。
【請求項５】
前記三方弁から暖房装置へ供給される湯の温度は、前記暖房装置の種類によって、制御されることを特徴とする請求項１から請求項４のいずれか１項に記載された貯湯式給湯装置。
【発明の詳細な説明】
【技術分野】
【０００１】
本発明は、安価な深夜電力等によって、ヒートポンプユニット等の給水加熱装置を稼働させ、制御装置から指令された目標蓄熱量になるまで給水を加熱して、貯湯タンク内に湯を貯めておくことができる貯湯式給湯装置に関するものである。また、本発明は、特に、貯湯タンク内における高温の湯を貯湯タンク外に循環させ、暖房装置の熱源として使用すると同時に、出湯口からも湯が使用できる貯湯式給湯装置に関するものである。
【背景技術】
【０００２】
従来の貯湯式給湯装置は、安価な深夜電力等によって、ヒートポンプユニット等の給水加熱装置を稼働させ、高温の湯を蓄積している。前記貯湯式給湯装置は、貯湯タンク内の給水を給水加熱装置により加熱する。前記加熱された湯は、温度差からなる水の比重差により、貯湯タンクの最上部に貯えられ、貯湯タンク内の下部の水と混合しないようになっている。
【０００３】
前記貯湯式給湯装置における最上部に貯えられた湯は、前記貯湯タンクの最上部に接続された出湯配管から通ずる蛇口等を開くことにより、利用される。また、前記貯湯タンクには、最下部に接続された給水配管から、前記使用された分量の水が内部に供給される。前記給水加熱装置は、たとえば、電力料金の安価な深夜時間帯（２３時から翌日の朝７時）の深夜電力を利用して、高価な昼間時間帯の電力料金を極力使用しないように工夫されている。
【０００４】
前記貯湯式給湯装置は、一般に、暖房装置の熱源としても機能しているものもある。たとえば、前記貯湯式給湯装置は、貯湯タンク内の高温の湯を貯湯タンク外の暖房装置に循環させることにより、暖房装置の熱源として利用されている。前記貯湯タンク内の熱源の容量は、暖房装置に使用した分だけ低下する。そのため、前記給水加熱装置は、暖房装置を使用している間、加熱温度を設定可能な最高温度に設定するとともに、最大の能力で稼働するように制御される。
【０００５】
さらに、従来の貯湯式給湯装置は、ある期間における暖房使用時間を累積し、一定時間以上の使用実績の有無を判定して、使用実績がある場合、実績がない場合より、給水加熱装置による加熱温度を高く設定し、貯湯タンク内の蓄熱量を少なく見積もるようにして、より高温の湯をより多く貯湯タンク内に貯めておけるように工夫がなされている。前記貯湯式給湯装置は、たとえば、特開２００３−２２７６５８号公報に記載されている。
【特許文献１】特開２００３−２２７６５８号公報
【発明の開示】
【発明が解決しようとする課題】
【０００６】
しかし、前記従来の貯湯式給湯装置は、貯湯タンク内に貯めた湯を暖房装置の熱源として利用するので、長時間出湯した場合、あるいは風呂湯張り運転後、また、貯湯タンクの蓄熱量が少ない昼間の時間帯に暖房運転を行った場合、熱源として十分な温度の湯が不足するという問題がある。前記貯湯式給湯装置は、最大能力で、貯湯タンク内の湯の温度を上げるように稼働するが、直ちに貯湯タンク内の湯の温度を上昇させることができない。
【０００７】
前記従来の貯湯式給湯装置は、貯湯タンク内の湯の温度が設定温度に達していない場合、自動的に暖房運転の待機状態として、その旨を表示装置によって、使用者に報知するようにしている。しかし、前記貯湯式給湯装置は、前記待機状態の場合、暖房装置が使用できないだけでなく、風呂湯や給湯にも十分な温度にならないという不便があった。
【０００８】
以上のような課題を解決するために、本発明は、あらゆる時間帯、どのような使用状況下であっても、貯湯タンク内の熱源が蓄熱量不足による暖房運転の停止という不便さを解消し得る機能を備えている貯湯式給湯装置を提供することを目的とする。本発明は、あらゆる時間帯、どのような使用状況下であっても、必要な温度の湯を得ることができる貯湯式給湯装置を提供することを目的とする。
【課題を解決するための手段】
【０００９】
（第１発明）
第１発明の貯湯式給湯装置は、給水加熱装置により給水を沸かして蓄えられている貯湯タンクの熱源を暖房および給湯に使用できるものであり、供給された給水を加熱する給水加熱装置と、前記給水加熱装置により加熱された湯が蓄えられている貯湯タンクと、前記貯湯タンクの湯を利用する出湯口と、前記貯湯タンクに蓄えられた熱源を循環させる暖房装置と、前記給水加熱装置により加熱された湯を前記貯湯タンクおよび前記暖房装置に供給できる三方弁と、前記給水加熱装置における給水の加熱を制御するとともに、前記貯湯タンク内の温度が設定温度以下の場合、前記給水加熱装置において加熱された湯を前記暖房装置に供給するように前記三方弁を制御する制御装置とを少なくとも備えていることを特徴とする。
【００１０】
（第２発明）
第２発明の貯湯式給湯装置は、第１発明の三方弁が前記出湯口から湯を出すことにより、暖房装置への湯の供給を閉じるように制御されていることを特徴とする。
【００１１】
（第３発明）
第３発明の貯湯式給湯装置は、第１発明または第２発明の三方弁が貯湯タンクの設定温度によって制御されることを特徴とする。
【００１２】
（第４発明）
第４発明の貯湯式給湯装置は、第１発明から第３発明の三方弁が貯湯タンク内の蓄熱量と、出湯口から使用される湯の熱量との差によって制御されることを特徴とする。
【００１３】
（第５発明）
第５発明の貯湯式給湯装置は、第１発明から第４発明の三方弁から暖房装置へ供給される湯の温度は、前記暖房装置の種類によって、制御されることを特徴とする。
【発明の効果】
【００１４】
本発明によれば、暖房装置の運転時に、貯湯タンク内に高温の湯が不足しているような状況が発生しても、給水加熱装置により加熱された湯を直接暖房装置の熱源として利用するため、暖房装置の待機状態が無くなり、利用者の不便を解消できる。
【００１５】
本発明によれば、給湯を大量に使用した直後、貯湯タンクにおける湯の温度が低い場合であっても、前記給水加熱装置から加熱された湯が三方弁を介して直接暖房装置へ供給されるため、貯湯タンク内における湯の温度が上がるまで、寒い思いをすることがない。
【００１６】
本発明によれば、出湯口から湯を出している間、暖房装置に熱い湯を送るのを一時中止して出湯口の湯を優先しているため、暖房中であっても、出湯口から所望の温度の湯を使用することができる。
【００１７】
本発明によれば、給水加熱装置により加熱された湯を暖房装置の熱源に利用するか否かを、使用される暖房装置の種類、貯湯タンク内の湯温、熱量、出湯や風呂等の使用状況によって決定することで、使用者の目的にあった制御を行うことができる。
【００１８】
本発明によれば、三方弁の開閉、あるいは開閉角度を制御することにより、給水加熱装置からの加熱された湯を暖房装置および出湯口からの湯に適宜使用することができる。
【００１９】
本発明によれば、貯湯タンク内の蓄熱量と出湯の熱量を常時演算しておき、出湯が開始された場合であっても、前記熱量の差によって、三方弁の開閉角度を制御して、暖房装置および出湯の両方に都合のよい温度の湯を供給できるようにすることができる。
【発明を実施するための最良の形態】
【００２０】
（第１発明）
第１発明の貯湯式給湯装置は、給水加熱装置により給水を沸かして蓄えられている貯湯タンクの熱源を暖房および給湯に使用できる。前記給水加熱装置は、たとえば、水道水が給水され、これを所定の温度に加熱する。前記給水加熱装置は、たとえば、ヒートポンプユニットであり、冷媒を使用することにより、熱効率を向上させている。前記貯湯タンクは、前記給水加熱装置により加熱された湯が蓄えられるとともに、使用された湯の分量だけ、下部から冷水が供給される。蓄えられた前記貯湯タンクの湯は、出湯口から出すことにより、浴室用（湯張りまたはシャワー用等）、洗面用、炊事用等に利用される。
【００２１】
また、前記貯湯タンクに蓄えられた熱源は、暖房装置のユニットを循環させることにより利用される。三方弁は、開閉または角度を調整することにより、前記給水加熱装置により加熱された湯を前記貯湯タンクおよび前記暖房装置に適宜供給することができる。制御装置は、前記貯湯タンク内等のセンサの情報を基にして、前記給水加熱装置における給水の加熱を制御するとともに、前記貯湯タンク内の温度が設定温度以下の場合、前記三方弁を制御して、前記給水加熱装置において加熱された湯を前記暖房装置に供給するように制御する。
【００２２】
第１発明の貯湯式給湯装置は、大量の湯を使用した直後で、貯湯タンクにおける湯の温度が低い場合であっても、前記給水加熱装置から加熱された湯が三方弁を介して直接暖房装置へ供給されるため、貯湯タンク内における湯の温度が上がるまで、寒い思いをすることがない。
【００２３】
（第２発明）
第２発明の貯湯式給湯装置は、貯湯タンク内の湯が設定温度より低い場合、出湯口から湯を出そうとすると、前記設定温度より低い温度の湯が出る。低い温度の出湯を防ぐために、前記三方弁は、閉じられ、熱い湯を暖房装置側に供給しないように制御される。第２発明の貯湯式給湯装置は、出湯口から湯を出している間、暖房装置に熱い湯を送るのを一時中止して出湯口の湯を優先する。
【００２４】
（第３発明）
第３発明の貯湯式給湯装置は、前記三方弁を貯湯タンクの設定温度によって制御している。すなわち、前記三方弁は、貯湯タンクの湯が設定温度より高い場合、貯湯タンクから暖房装置に供給されるように開き、前記湯が設定温度より低い場合、前記給水加熱装置から供給されるようにする。
【００２５】
（第４発明）
第４発明の貯湯式給湯装置は、前記三方弁を貯湯タンク内の蓄熱量と、出湯口から使用される湯の熱量との差によって制御される。制御装置は、貯湯タンク内における深さ方向の各温度センサからの温度情報を基にして貯湯タンク内の熱量を計算する。同様に、前記制御装置は、出湯口から出る湯の温度情報と流量情報を基にして出湯口から使用される湯の熱量を計算する。第４発明の貯湯式給湯装置は、前記制御装置によって、前記三方弁を単に開閉するのではなく、前記熱量の差により、前記三方弁の開く角度を適宜制御する。
【００２６】
（第５発明）
第５発明の貯湯式給湯装置は、前記三方弁から暖房装置へ供給される湯の温度を前記暖房装置の種類によって、制御している。前記暖房装置は、たとえば、床暖房、パネルヒータ、浴室内暖房、乾燥室、室内暖房等があり、床または壁面等に設けられたユニットに湯が供給される。
【実施例１】
【００２７】
図１は本発明の第１実施例で、貯湯式給湯装置の概略を説明するための構成図である。図１において、貯湯式給湯装置は、貯湯タンク１１と、たとえば、ヒートポンプユニットからなる給水加熱装置２１と、三方弁１３と、暖房装置となる熱交換ユニット１４と、水道に接続された給水源１５と、出湯口１６、制御装置３１とから少なくとも構成されている。
【００２８】
前記貯湯タンク１１は、ステンレス等の耐食性の優れた金属で作製されている縦長形状の筒体である。前記貯湯タンク１１は、外周部に図示されていない断熱材によって覆われて、高温の湯を長時間にわたって保温可能な状態にしている。また、前記貯湯タンク１１は、底面に給水源１５から給水できる給水管１５１が接続されている。さらに、前記給水管１５１には、給水の温度情報を制御装置３１に送ることができるサーミスタ１５２が配置されている。
【００２９】
前記給水管１５１を通る給水は、バイパス配管１５３を経由して混合弁１６３に接続されている。前記貯湯タンク１１の最上部における湯は、導出管１６５を介して、前記混合弁１６３からの水を加えることにより、所望の熱さの湯として、出湯配管１６２、流量カウンタ１６４を経由して出湯口１６から導出される。また、前記混合弁１６３は、必要に応じて、前記制御装置３１からの制御信号によって、図示されていないサーボモータを駆動し、弁体の開閉角度を調整することができる。
【００３０】
前記混合弁１６３の出口側には、シャワー、風呂、洗面所、キッチン等の蛇口である出湯口１６が接続される。前記出湯口１６から出る湯の温度は、前記出湯配管１６２内に設けられているサーミスタ１６１の温度情報および流量カウンタ１６４の流量情報が制御装置３１に送られることにより、制御される。
【００３１】
前記貯湯タンク１１は、最下部における水を加熱するために、給水加熱装置２１に送る吸入口１２２が設けられている。前記吸入口１２２から導出された水は、配管２１２を通過して給水加熱装置２１に入り、加熱された後、配管２１３を経由して、吐出口１２３から前記貯湯タンク１１に加熱された湯が供給される。また、前記配管２１３から供給される加熱された湯は、三方弁１３に供給される。前記吸入口１２２、配管２１２、給水加熱装置２１、配管２１３、吐出口１２３、貯湯タンク１１は、第１循環回路を形成している。
【００３２】
前記給水加熱装置２１は、たとえば、ヒートポンプユニットからなり、二酸化炭素等の冷媒を使用している。前記冷媒は、圧縮加熱され、内蔵の熱交換器（図示されていない）を介して前記第１循環回路内の水を加熱した後、膨張させることにより元に戻し、循環使用される。貯湯タンク１１は、最上部外壁面に、図示されていない貯湯タンク出力温度検出センサが設けられている。前記制御装置３１には、前記貯湯タンク出力温度検出センサによって検出された温度情報が送られる。
【００３３】
貯湯タンク１１の上部に設けられている三方弁１３は、給水加熱装置２１によって加熱された湯が吐出口１２３、または吸入口１２４から後述の第２循環回路１３１のいずれか一方から供給されるように接続される。前記三方弁１３を閉じ、吐出口１２３を開放するようにした場合、加熱された湯は、バイパス配管１５３から貯湯タンク１１へ供給される。前記三方弁１３が吸入口１２４側に接続された場合、貯湯タンク１１に貯えられた加熱湯は、後述の第２循環回路１３１に供給される。
【００３４】
前記第２循環回路１３１は、前記湯を貯湯タンク１１の吸入口１２４、三方弁１３、暖房装置の熱交換器１４１、ウォータポンプ１３２、吐出口１２５、貯湯タンク１１の順で循環させる。前記熱交換器１４１は、たとえば、対向流型のものであり、前記第３循環回路１４３を流れる熱媒体をウォータポンプ１４４により、熱交換ユニット１４内を循環するようにして、暖房装置としての機能を持たせる。前記熱媒体は、水であってもよい。
【００３５】
第２循環回路１３１は、サーミスタ１３３により、熱交換器１４１を循環する熱媒体の温度情報を制御装置３１に送る。前記第３循環回路１４３は、サーミスタ１４２により、熱交換ユニット１４を通過する熱媒体の温度情報を前記制御装置３１に送る。
【００３６】
前記制御装置３１は、前記各サーミスタからの湯温情報、あるいは流量カウンタ１６４からの流量情報と、前記給水加熱装置２１に設けられた外部気温検出手段（サーミスタ）２１１からの気温情報、および図示されていない操作盤からの制御情報に基づいて、前記給水加熱装置２１、混合弁１６３、ウォータポンプ１３２、１４４、三方弁１３を制御する。なお、図示されていない前記操作盤は、浴室内、キッチン等、使用者が湯を使用するのに都合のよい場所の近傍に設置される。また、貯湯タンク１１および給水加熱装置２１は、屋外の適所に設置されている。
【００３７】
図２は本発明の第１実施例である貯湯式給湯装置の動作を説明するためのフローチャートである。前記貯湯式給湯装置は、図示されていない電源スイッチがオンされ、暖房装置の運転が開始される（ステップ２１１）。前記電源オンにより、制御装置３１は、貯湯タンク１１に設けられた各サーミスタからの温度情報等や、図示されていない操作盤により設定された時刻情報等に基づいて、適宜、給水加熱装置２１を作動させる。前記給水加熱装置２１は、貯湯タンク１１内の水を高温の湯、たとえば、９０度Ｃの湯に沸かし上げる。前記貯湯式給湯装置は、深夜電力を利用することにより安価な燃費となるように制御装置３１によって制御される。
【００３８】
図示されていない操作盤または予約タイマにより、暖房装置がオンされた場合、前記制御装置３１は、ウォータポンプ１３２、１４４を作動する（ステップ２１２）。前記制御装置３１は、貯湯タンク１１内のサーミスタ１１１等により、貯湯タンク１１内の湯温が予め設定された温度（熱量）に達しているか否かを調べる（ステップ２１３）。
【００３９】
前記制御装置３１は、前記貯湯タンク１１内の湯温が暖房装置に適した十分な温度であると判断した場合、前記三方弁１３を駆動して、貯湯タンク１１の吸入口１２４側に固定し、貯湯タンク１１内の最上部からの高温の湯を吸入口１２４から第２循環回路１３１内に吸入するとともに、第２循環回路１３１内に熱媒体として循環させる（ステップ２１４）。
【００４０】
前記三方弁１３は、吸入口１２４側に固定された場合、貯湯タンク１１内の高温の湯を前記ウォータポンプ１３２によって、第２循環回路１３１内を循環させる。前記第２循環回路１３１を循環する高温の湯は、熱交換器１４１により、熱交換される。前記熱交換器１４１により交換されたエネルギーは、第３循環回路１４３内の熱媒体に移る。前記制御装置３１は、サーミスタ１１１、サーミスタ１３３、サーミスタ１４２の温度情報に基づき、熱交換器１４１および熱交換ユニット１４における熱交換が良好に行われるように、ウォータポンプ１３２、１４４を作動させる。
【００４１】
前記制御装置３１は、暖房運転が開始されると、貯湯タンク１１の上部に設けられているサーミスタ１１１の温度情報および流量カウンタ１６４の流量情報を判定する。前記制御装置３１は、前記サーミスタ１１１の温度情報を基にして、暖房運転の最低限必要な温度であるか否かを調べる。前記最低限必要な湯温は、床暖房で６０度Ｃ、浴室乾燥で７０度Ｃである。
【００４２】
前記制御装置３１は、ステップ２１３において、前記サーミスタ１１１の温度情報が最低限必要な湯温になっていないと判断した場合、暖房運転のために給水加熱装置２１を稼働するとともに、三方弁１３を給水加熱装置２１側（ステップ２１５）にして、給水加熱装置２１からの高温の湯を第２循環回路１３１に供給する（ステップ２１６）。
【００４３】
また、前記制御装置３１は、前記暖房運転中に、流量カウンタ１６４からの情報により、暖房以外の出湯であるか否かを調べる（ステップ２１７）。前記制御装置３１は、出湯があると判断した場合、出湯を優先するために、前記三方弁１３の給水加熱装置２１側を閉鎖する（ステップ２１９）。すなわち、給水加熱装置２１により加熱された湯は、吐出口１２３から貯湯タンク１１内に一旦入り、前記貯湯タンク１１の最上部から出湯口１６側に流れる。
【００４４】
前記貯湯タンク１１内の湯は、必ずしも、暖房に必要な最低限の温度になっていないが、出湯口１６から湯を流す時間が短い場合が多いため、暖房の温度を一時低下させる。前記制御装置３１は、出湯が終了したと判断した場合（ステップ２２０）、前記三方弁１３の吐出口１２３側を開放し、給水加熱装置２１の加熱された湯を暖房装置側に流すように制御する（ステップ２１８）。
【００４５】
前記制御装置３１は、サーミスタ１１１の温度情報が最低限必要な温度以上であると判断した場合（ステップ２１３）、熱源として十分な湯が貯湯タンク１１内に貯められているため、流量カウンタ１６４の状態がどのようになっていても、前記三方弁１３を暖房装置側に開く。したがって、貯湯タンク１１内の湯は、前記三方弁１３を通り、暖房装置側に流れるとともに、出湯口１６からも同時に湯が出る。
【実施例２】
【００４６】
図３は本発明の第２実施例で、暖房装置および出湯を制御する制御装置を説明するためのブロック構成図である。図３において、貯湯タンク１１は、たとえば、貯湯タンク監視部３１１と、暖房装置監視部３１２と、給水源監視部３１３と、出湯監視部３１４と、サーボモータ３２０と、三方弁３２１とから少なくとも構成されている。制御装置３１は、情報記憶部３１５、熱量差演算部３１６と、設定部３１７と、比較判断部３１８と、制御部３１９とから少なくとも構成されている。
【００４７】
前記貯湯タンク１１は、実施例１においても、ほぼ同じ構成である。前記貯湯タンク監視部３１１は、図１におけるサーミスタ１１１から１１６によって得られた温度情報を制御装置３１の情報記憶部３１５に送る。前記暖房装置監視部３１２は、前記暖房装置３２２内に設けられたサーミスタにより、第２循環回路１３１および第３循環回路１４３の熱媒体の温度等の情報を前記情報記憶部３１５に送る。前記給水源監視部３１３は、貯湯タンク１１に入る給水源を送る給水管１５１内に設けられたサーミスタ１５２の温度情報を前記情報記憶部３１５に送る。前記出湯監視部３１４は、サーミスタ１６１の温度情報および流量カウンタ１６４による流量情報を前記情報記憶部３１５に送る。
【００４８】
たとえば、制御装置３１は、貯湯タンク１１内の温度が所定以上で、出湯口１６から風呂湯を汲んでいるような場合、給水加熱装置３２３からの湯を暖房装置３２２側に流し、貯湯タンク１１内の湯を出湯口１６に流すように制御する。さらに、前記制御装置３１は、貯湯タンク１１内の蓄熱量と暖房装置３２２に使用する熱量とを前記情報記憶部３１５に記憶されている情報を基にして、前記両者の熱量差を熱量差演算部３１６により演算させる。
【００４９】
前記制御部３１９は、前記演算された熱量差と予め設定部３１７に設定されている温度とを比較判断部３１８により比較し、三方弁１３を所望角度開拡させるために、サーボモータ３２０を駆動させる。前記制御装置３１は、貯湯タンク１１内の熱量と出湯との熱量差を常時算出しているため、蛇口、シャワー、風呂等の出湯を開始した場合であっても、前記三方弁１３の固定位置を所望角度換えるように制御することができる。
【００５０】
前記制御装置３１は、貯湯タンク１１内の蓄熱量が湯張りに要する熱量を上回っていると判断した場合、少なくとも湯張り動作に関し、給水加熱装置２１による加熱湯の貯湯タンク１１への供給が不要になる。
【００５１】
次に、給水加熱装置（ヒートポンプユニット）２１、暖房装置、貯湯タンク内の温度または熱量、出湯、三方弁１３の関係について説明する。図４は本発明の実施例における給水加熱装置（ヒートポンプユニット）、暖房装置、貯湯タンク１１内の温度または熱量、出湯、三方弁の関係を説明するための図である。図４において、出湯口１６から湯を出すと、貯湯タンク１１の湯の温度または熱量は、ヒートポンプユニット２１および暖房装置が稼働していないため、貯湯タンク１１内の湯の温度または熱量は、徐々に低下する〔図４(3) 参照〕。
【００５２】
次に、貯湯タンク１１内の温度が設定温度以下であるため、ヒートポンプユニット２１および暖房装置の運転が開始されると、三方弁１３は、ヒートポンプユニット２１側が開となる〔図４(1) 、(2) 、(5) 参照〕。加熱された湯は、前記ヒートポンプユニット２１から暖房装置側に供給され、貯湯タンク１１内の湯の温度を維持する〔図４(3) 参照〕。
【００５３】
前記暖房装置は、一時運転が中断されると、貯湯タンク１１内の湯が設定温度を超えることが判る〔図４(2) 、(3) 参照〕。また、前記暖房装置は、運転を再開すると、貯湯タンク１１内の湯の温度が低下する〔図４(3) 参照〕。次に、暖房運転中に出湯があると、三方弁１３のヒートポンプユニット２１側が閉となり、貯湯タンク１１の上部の湯が暖房装置に供給されるため、貯湯タンク１１内の湯の設定温度は、少し低下する〔図４(3) 、(4) 、(5) 参照〕。暖房運転が停止すると、前記貯湯タンク１１内の湯の設定温度は、上昇する〔図４(2) 、(3) 参照〕。
【産業上の利用可能性】
【００５４】
以上、本発明の実施例を詳述したが、本発明は、前記実施例に限定されるものではなく、特許請求の範囲に記載された事項を逸脱することがなければ、種々の設計変更を行うことが可能である。本実施例に使用されている三方弁は、混合弁として、貯湯タンク内の温度あるいは蓄熱量によって、その開口面積比を変化させ、給水加熱装置からの湯と、貯湯タンク上部の湯の混合比を調節し、その混合された湯を暖房装置の熱源とすることができる。図におけるブロックの内部は、公知または周知の技術によって達成されるものである。
【図面の簡単な説明】
【００５５】
【図１】本発明の第１実施例で、貯湯式給湯装置の概略を説明するための構成図である。（実施例１）
【図２】本発明の第１実施例である貯湯式給湯装置の動作を説明するためのフローチャートである。
【図３】本発明の第２実施例で、暖房装置および出湯を制御する制御装置を説明するためのブロック構成図である。（実施例２）
【図４】本発明の実施例における給水加熱装置（ヒートポンプユニット）、暖房装置、貯湯タンク内の温度または熱量、出湯、三方弁の関係を説明するための図である。
【符号の説明】
【００５６】
１１・・・貯湯タンク
１１１〜１１６・・・サーミスタ
１２１・・・導入口
１２２・・・吸入口
１２３・・・吐出口
１２４・・・吸入口
１２５・・・吐出口
１３・・・三方弁
１３１・・・第２循環回路
１３２・・・ウォータポンプ
１３３・・・サーミスタ
１４・・・熱交換ユニット
１４１・・・熱交換器
１４２・・・サーミスタ
１４３・・・第３循環回路
１４４・・・ウォータポンプ
１４５・・・配管
１５・・・給水源
１５１・・・給水管
１５２・・・サーミスタ
１５３・・・バイパス配管
１６・・・出湯口
１６１・・・サーミスタ
１６２・・・出湯配管
１６３・・・混合弁
１６４・・・流量カウンタ
１６５・・・導出管
２１・・・給水加熱装置
２１１・・・サーミスタ
２１２、２１３・・・配管
３１・・・制御装置
【図１】
2006071207.tif 000003
【図２】
2006071207.tif 000004
【図３】
2006071207.tif 000005
【図４】
2006071207.tif 000006